(57)【要約】【課題】種々なスケジュールの中から一つのスケジュールを実行する所望の時刻が達したことを容易に認識することができ、また面白みや楽しみを十分に与えることができる光報知システムを提供する。【解決手段】電池もしくは家庭用の電源２と、各種の色彩で発光可能としたＬＥＤ素子または電球または液晶表示ランプのいずれかによる発光手段３と、発光手段に電源からの電流を出力開始する時間を設定し、報知設定時刻に至った時に、電源２から発光手段３に電流を出力するタイマースイッチ手段４とを備えた光報知器Ｑを、おやつ、食事、塾、テレビ、学校、ピアノ、電話連絡、その他の複数の報知内容を表記してある光透過可能なパネル１２の当該報知内容毎に内蔵する。【選択図】図１
2007187541.tif 000002
【特許請求の範囲】
【請求項１】
電池もしくは家庭用の電源と、
各種の色彩で発光可能としたＬＥＤ素子または電球または液晶表示ランプのいずれかによる発光手段と、
発光手段に電源からの電流を出力開始する時間を設定し、報知設定時刻に至った時に、電源から発光手段に電流を出力させるタイマースイッチ手段とを備えて成る光報知器Ｑを、
おやつ、食事、塾、テレビ、学校、ピアノ、電話連絡、その他の複数の報知内容が表記されている光透過可能なパネルの当該報知内容毎に内蔵して成ることを特徴とする光報知システム。
【請求項２】
タイマースイッチ手段は、発光手段に電源からの電流を流す電流出力回路部と、
電流を出力開始する時間を設定するよう利用者が所望の時刻に設定可能としたＯＮ−ＯＦＦスイッチを備えたタイマー回路部と、
該タイマー手段から報知設定時刻に対応したタイムアップ信号が出力されたときに電流出力回路部の動作を制御して電源から発光手段に電流を出力させる出力制御回路部とを備えて成る請求項１記載の光報知システム。
【請求項３】
前記発光手段は、複数の報知内容が表記されているパネルの報知の種類に応じて光の色合いを変更可能とした請求項１または２記載の光報知システム。
【発明の詳細な説明】
【技術分野】
【０００１】
本発明は、利用者に対し所望の時刻が達したことを光形態によって報知させることを可能とした発光パネル構造による光報知システムに関する。
【背景技術】
【０００２】
従来、一般家庭内において、例えば、おやつを食べる時間、食事をする時間、塾に通う時間、希望のテレビ番組を見る時間、学校へ行く時間、ピアノを練習する時間、相手先に電話を掛ける時間等々のような１日のスケジュールのうちの一つのスケジュールを実行するための予定時刻に至ったことを利用者に確実に報知する場合には、電子音やブザー音を使った種々の報知システムが存在する。
【特許文献１】特に無し
【発明の開示】
【発明が解決しようとする課題】
【０００３】
しかしながら、従来における電子音やブザー音による報知システムでは、単独での面白みや楽しみ等の付加価値を与えることができない。しかも、聴力に障害のある者では全く無意味なものとなる。
【０００４】
そこで、本発明は、叙上のような従来存した諸事情に鑑み創出されたもので、例えば一般家庭内において、種々なスケジュールから一つのスケジュールを実行する所望の時刻が達したことを容易に報知させることができ、さらに従来の電子音やブザー音等による音形態による報知システムでは得られない面白みや楽しみを十分に与えることができる光報知システムを提供することを目的とする。
【課題を解決するための手段】
【０００５】
上述した課題を解決するため、本発明にあっては、電池もしくは家庭用の電源と、各種の色彩で発光可能としたＬＥＤ素子または電球または液晶表示ランプのいずれかによる発光手段と、発光手段に電源からの電流を出力開始する時間を設定し、報知設定時刻に至った時に、電源から発光手段に電流を出力させるタイマースイッチ手段とを備えて成る光報知器を、おやつ、食事、塾、テレビ、学校、ピアノ、電話連絡、その他の複数の報知内容が表記されている光透過可能なパネルの当該報知内容毎に内蔵して成ることを特徴とする。
【０００６】
タイマースイッチ手段は、発光手段に電源からの電流を流す電流出力回路部と、
電流を出力開始する時間を設定するよう利用者が所望の時刻に設定可能としたＯＮ−ＯＦＦスイッチを備えたタイマー回路部と、
該タイマー手段から報知設定時刻に対応したタイムアップ信号が出力されたときに電流出力回路部の動作を制御して電源から発光手段に電流を出力させる出力制御回路部とを備えて成る。
【０００７】
前記発光手段は、複数の報知内容が表記されているパネルの報知の種類に応じて光の色合いを変更可能とした。
【発明の効果】
【０００８】
本発明によれば、例えば一般家庭内において、種々なスケジュールから一つのスケジュールを実行する所望の時刻が達したことを容易に報知させることができ、さらに従来の電子音やブザー音等による音形態による報知システムでは得られない単独での面白みや楽しみを十分に与えることができる。
【０００９】
すなわち、本発明に係る光報知システムは、発光手段に電源からの電流を出力開始する時間を設定し、報知設定時刻に至った時に、電源から発光手段に電流を出力させるタイマースイッチ手段とを備えて成る光報知器を、おやつ、食事、塾、テレビ、学校、ピアノ、電話連絡、その他の複数の報知内容が表記されている光透過可能なパネルの当該報知内容毎に内蔵して成るので、予め設定された時刻にいずれかの報知内容を実行するに至ったことを光によって利用者に確実に報知することができる。しかも、聴力に障害のある者に対しても確実に報知することができる。
【００１０】
具体的には、前記パネルに明記された報知内容が発光手段によって照射されるため、利用者に対しこれら報知内容を実行すべき所望の時刻が達したことを身近に報知させることができる。特に、セットされた時間にパネルを発光させて報知内容を知ることができ、例えば、一般家庭内における１日の種々なスケジュールのうちの一つのスケジュールを実行するための予定時刻に至ったことを光によって利用者に確実に報知することができる。例えば、おやつを食べる時間、食事をする時間、塾に通う時間、希望のテレビ番組を見る時間、学校へ行く時間、ピアノを練習する時間、相手先に電話を掛ける時間等の時刻に達したことを光によって利用者側に容易に報知させることができる。
【００１１】
また、タイマースイッチ手段は、発光手段に電源からの電流を流す電流出力回路部と、電流を出力開始する時間を設定するよう利用者が所望の時刻に設定可能としたＯＮ−ＯＦＦスイッチを備えたタイマー回路部と、該タイマー手段から報知設定時刻に対応したタイムアップ信号が出力されたときに電流出力回路部の動作を制御して電源から発光手段に電流を出力させる出力制御回路部とを備えて成るので、低コストで確実なタイマースイッチを備えた発光パネル式の光報知システムが得られる。しかも、タイマー回路部には、利用者が所望の時刻に設定可能としたＯＮ−ＯＦＦスイッチを備えたので、所定の時刻設定が簡単且つ迅速に行える。
【００１２】
前記発光手段は、複数の報知内容が表記されているパネルの報知の種類に応じて光の色合いを変更可能としたので、光報知に付随してパネル面での種々の光の演出をかなでることができ、従来のブザー音による報知システムでは得られない光アート的または電飾的な子供用電飾玩具と同じ面白みや楽しみを十分に与えることができる。
【発明を実施するための最良の形態】
【００１３】
以下、図面を参照して本発明を実施するための最良の一形態を説明すると、図において示される符号１は、例えば一般家庭内におて、利用者に対し所望の時刻が達したことを光形態によって報知させるための本発明に係る光報知システムを構成するパネル器体であり、図１に示すように、該パネル器体１の上端に形成した取付具１３を介して壁面Ｐに壁掛け状に取り付けられるようにしてある。尚、床面や机上面等に載置するようにしてもよいことは勿論である。
【００１４】
そして、後述する光報知器Ｑの発光手段３によって、報知内容が表記されているパネル器体１前面の光透過可能なパネル１２を後面側から照射することで該パネル１２自体を発光させるようにしてある。
【００１５】
すなわち、図２示すように、パネル器体１の前面には、例えばおやつ、食事、塾、テレビ、学校、ピアノ、電話等々の複数の報知内容が表記された例えばアクリル製等の光透過可能な複数のパネル１２が配設され、各パネル１２の下側には、利用者が所望の時刻に設定できるようＯＮ−ＯＦＦスイッチ（８、９、１０）が配置されている。
【００１６】
そして、各パネル１２の内側には、光報知器Ｑが配置され、該光報知器Ｑの例えばＬＥＤ素子、豆ランプ等の電球、液晶表示ランプのいずれかによる発光手段３によってパネル１２の後面を照射するものとしてある。
【００１７】
また、パネル１２の下方縁側には、例えば７セグメントＬＥＤもしくは液晶表示等の表示手段１１が配置され、タイマー回路６による時間の設定操作を容易に確認できるようにしてある。さらに、パネル器体１の裏側には、電源２として例えばボタン型の電池を収容可能とするよう蓋部１４が設けられている。
【００１８】
前記発光手段３は、複数の報知内容が表記されているパネル１２の報知の種類に応じて光の色合いを、例えば青やピンク等のように任意に変更できるようにしてある。また、発光手段３として例えば２種類以上の態様で発光する発光体を設け、この発光体による各種の色の発光をタイムリーに行なっても良い。尚、この発光手段３の他は、音による報知手段（不図示）を併設するようにしても良い。
【００１９】
また、図示による説明を省略するが、電源２としてボタン型の電池を使用する替わりに家庭用のＡＣ１００Ｖの電源に接続して使用することもでき、この場合には、後述する個々のタイマースイッチ手段４をまとめて１本の接続コードによってコンセントに接続させるようにする。
【００２０】
次に、光報知器Ｑの具体的な構成の一例について説明する。光報知器Ｑは、図３に示すように、電源２、発光手段３、タイマースイッチ手段４、表示手段１１それぞれによって概ね構成されている。このタイマースイッチ手段４は、発光手段３に電源２からの電流を出力開始する時間を設定し、報知設定時刻に至った時に、電源２から発光手段３に電流を出力させるものである。
【００２１】
このタイマースイッチ手段４は、発光手段３に電源２からの電流を流すための電流出力回路部５と、電流を出力開始する時間を設定するためのタイマー回路部６と、タイマー回路部６から報知設定時刻に対応したタイムアップ信号が出力されたときに電流出力回路部５の動作を制御して電源２から発光手段３に電流を出力させるための出力制御回路部７とから構成されている。
【００２２】
また、このタイマー回路部６には、利用者が所望の時刻に設定できるようＯＮ−ＯＦＦスイッチ構造による、例えば、現在時間設定用ボタン８、電流出力時間設定用ボタン９、リセットボタン１０等が接続され、これら時間の設定操作を容易に確認できるようタイマー回路６に例えば液晶タイプの表示手段１１を備えている。
【００２３】
タイマー回路部６としては、例えば分秒カウントアウト検出回路、ＮＡＮＤゲートＳＲタイプフリップフロップを用いたスタートストップ制御回路、ＮＥ５５５−１秒クロック発振器、クロックゲート回路、ドライブ回路、リレー駆動回路等の周知の回路機構を採用しても良い。尚、本発明は、これらの回路機構に何等限定されるものではない。また、このタイマースイッチ手段４の全体構成は、本発明を具現化するためのほんの一例に過ぎず、これに限定されずに他の回路形式を採用しても良いことは勿論である。
【００２４】
次に、以上のように構成された最良の形態についての使用、動作の一例について説明する。先ず、図１に示すように、パネル器体１の取付具１３を壁面Ｐに壁掛け状に取り付けておく。
【００２５】
そして、いずれかのパネル１２におけるリセットボタン１０の操作で光報知器Ｑをリセット状態にしてから、表示手段１１を見ながら現在時間設定用ボタン８の設定操作と、電流出力時間設定用ボタン９の設定操作を行なう。
【００２６】
例えば、学校に行く時間を設定する場合には、学校と記載されているパネル１２の現在時間設定用ボタン８の設定操作と、電流出力時間設定用ボタン９の設定操作を行なう。
【００２７】
そして、学校へ行く時刻に至ると光報知器Ｑのタイマー回路部６から報知設定時刻に対応したタイムアップ信号が出力されて出力制御回路部７が作動し、この出力制御回路部７で電流出力回路部５の動作を制御して電源２から発光手段３に電流が出力して発光する。これにより、パネル器体１前面の学校と記載されているパネル１２が発光し、学校へ行くべき時刻が達したことが報知される。
【００２８】
また、おやつ、食事、塾、テレビ、ピアノ、電話等の他のパネル１２に対しても上記と同様に設定することができる。このとき、パネル１２の報知の種類に応じて光の色合いを変更してあるため、発光するパネル１２の色感覚でもって各種の報知内容が認識できるのである。
【図面の簡単な説明】
【００２９】
【図１】本発明を実施するための最良の形態における光報知システムの使用状態を示す一部切欠斜視図である。
【図２】同じく光報知システムの縦断面図である。
【図３】同じく光報知器の回路ブロックの一例を示す構成図である。
【符号の説明】
【００３０】
Ｐ    壁面
Ｑ    光報知器
１    パネル器体
２    電源
３    発光手段
４    タイマースイッチ手段
５    電流出力回路部
６    タイマー回路部
７    出力制御回路部
８    現在時間設定用ボタン
９    電流出力時間設定ボタン
１０  リセットボタン
１１  表示手段
１２  パネル
１３  取付具
１４  蓋部
【図１】
2007187541.tif 000003
【図２】
2007187541.tif 000004
【図３】
2007187541.tif 000005